(57)【要約】  【課題】縦揺れも確実に検出でき、接触間近の状態でも確実に接触させて検出エラーをなくす。  【解決手段】  天板１の下に弾性吊り下げ条１２が垂下され、この弾性吊り下げ条１２の下に剛性吊り下げ条１３が連結され、この剛性吊り下げ条１３の下に磁力体１４が連結され、振り子１５が構成される。この振り子１５の周囲には、テーパ環状の接触体２２が配置され、地震／振動があると、剛性吊り下げ条１３が接触体２２に接触して、地震／振動が検出される。弾性吊り下げ条１２が弾性変形するので、縦揺れが弾性吊り下げ条１２で振り子揺動に変換されて剛性吊り下げ条１３に伝達され、剛性吊り下げ条１３が接触体２２に確実に接触できる。磁力体１４が接触体２２の間近に近づくと、磁力体１４が接触体２２に磁性吸引され、剛性吊り下げ条１３が触体２２に確実に接触される。  【選択図】図１
2006112925.tif 000002
【特許請求の範囲】
【請求項１】
弾性的に変形可能な導電性の振り子の弾性吊り下げ条と、
この弾性吊り下げ条の上または下に連結される弾性変形しない導電性の上記振り子の剛性吊り下げ条と、
これら互いに連結された弾性吊り下げ条及び剛性吊り下げ条の下端に設けられた磁性を帯びることが可能な上記振り子の磁力体と、
これら振り子の周囲に配置され、上記振り子に接触可能で、上記磁力体と吸着可能で導電性の接触体と、
これら振り子と接触体とに接続され当該振り子と接触体との接触とを検出する検出回路とを備えたことを特徴とする振動検出装置。
【請求項２】
上記弾性吊り下げ条は、長手方向に弾性的に伸縮可能である、または／及び長手方向に直交する方向に弾性的に揺動可能又は振動可能であることを特徴とする請求項１記載の振動検出装置。
【請求項３】
上記剛性吊り下げ条は、可撓性を有しないまたは可撓性を有し、導電金属性または導電樹脂製である請求項１または２記載の振動検出装置。
【請求項４】
上記弾性吊り下げ条の下に上記剛性吊り下げ条が連結され、上記接触体には上記剛性吊り下げ条が接触することを特徴とする請求項１、２または３記載の振動検出装置。
【請求項５】
上記弾性吊り下げ条、剛性吊り下げ条または磁力体の相互の連結において、互いに連結される物が互いに折曲可能なように連結されることを特徴とする請求項１、２、３または４記載の振動検出装置。
【請求項６】
上記接触体は、テーパ環状であり、振り子の上から下に向かって当該環状の環の太さが次第に小さくなっていることを特徴とする請求項１、２、３、４または５記載の振動検出装置。
【請求項７】
上記磁力体は、上記接触体の下縁から突出して、同接触体の下縁から下外側に吸着可能である請求項１、２、３、４、５または６記載の振動検出装置。
【発明の詳細な説明】
【技術分野】
【０００１】
本発明は、地震他の振動を検出する装置に関するものであり、多段の振り子を利用した振動検出装置に関するものである。
【背景技術】
【０００２】
地震を検出する装置は種々考えられており、地震の振動を検出して、警報機を鳴らしたり、電源を遮断したり、ガスコンロやストーブなどの火もとを消火したりする。このような振動検出装置に振り子を用いるものがいくつかある。これは、地震などの振動で振り子が振動／揺動することを検出するというものである。
【０００３】
【特許文献１】特開平１１−２３２９９２号公報
【特許文献２】登録実用新案第３０２７６３３号公報
【特許文献３】特許第３３４０５３７号公報
【特許文献４】特開２０００−３２９８５７号公報
【特許文献５】特開昭５４−３４８７４号公報
【発明の開示】
【発明が解決しようとする課題】
【０００４】
上述の振り子では、横揺れを検出できるが、縦揺れを検出するとき、十分に検出できないことがあった。これは振り子が水平に振動／揺動するためであり、垂直方向には振動／揺動しないためと考えられる。
【０００５】
本発明は上述した課題を解決するためになされたものであり、本発明の目的は、横揺れだけでなく、縦揺れも確実に検出できる振動検出装置を提供することである。
【課題を解決するための手段】
【０００６】
上記目的を達成するために、弾性的に変形可能な導電性の振り子の弾性吊り下げ条と、この弾性吊り下げ条の上または下に連結される弾性変形しない導電性の上記振り子の剛性吊り下げ条とを設けた。
【発明の効果】
【０００７】
これにより、弾性吊り下げ条である振り子の一部を弾性的に変形可能としたから、縦揺れに対してこの弾性吊り下げ条が縦に弾性変形し、この弾性変形が振り子の水平振動／揺動に変換され、縦揺れを検出することができる。また、横揺れに対しても振り子が水平振動／揺動するので、横揺れも検出することができる。
【０００８】
また、振り子１５の条を弾性変形できるようにしたので、縦揺れを振り子の振動／揺動に迅速に変換でき、縦揺れに対して即座に検出を行うことができる。このような縦揺れ検出は、振り子の条を弾性変形できるようにしたためであり、鎖のような弾性変形しないものでは達成できない。
【０００９】
また、弾性変形しない剛性吊り下げ条が弾性吊り下げ条の下に垂下されていると、弱い振動でも接触体に振り子が接触してしまことがなくなり、誤動作が少なくなる。さらに、振り子の下端の磁力体と接触体とが互いに磁力で吸引されるので、地震／振動で磁力体が接触体に引き寄せられて、振り子は接触体に確実に接触でき、地震／振動を確実に検出できる。
【発明を実施するための最良の形態】
【００１０】
（１）振動検出装置の全体構造／振り子１５の構造
図１はこの発明の一実施の形態に係る振動検出装置の全体構成を示し、図２は同振動検出装置の縦断面を示す。天板１は円形平板状で、天井、棚、机、床、梁、鴨居などの水平な下面に固定される。
【００１１】
この天板１の下面には、この天板１より小さい円筒状の上筒２が接合されている。この上筒２の下面には、円形平板状の中天板３が接合され、上筒２の下面は中天板３によって密封されて、上室６が形成されている。
【００１２】
この上筒２の下の中天板３の下面には、中筒４が接合されている。この中筒４の太さは上記上筒２の太さと同じであるが、中筒４の長さは上記上筒２の長さの数倍で、より長い。この中筒４の下には半球状／ドーム状の下カップ５が接合されている。
【００１３】
これら中天板３、中筒４及び下カップ５によって、密封された下室７が形成されている。上記中筒４は磁性を帯びることが可能な金属製で不透明であるが、半透明または透明であってもよい。上記天板１、上筒２、中天板３、下カップ５は樹脂製で透明であるが、不透明または半透明でもよい。中筒４が鉄、ニッケル、ステンレス等の磁性を帯びることが可能なものであれば、磁力体１４及び接触体２２の磁力／磁気を遮蔽して、周囲の電気回路／電気機器に悪影響を与えるのを防止できる。
【００１４】
上記中天板３の下面中心にはフック１１が固定されている。このフック１１には、弾性吊り下げ条１２の上端の上フック１２ａが掛けられて連結され、弾性吊り下げ条１２が振動／揺動可能に吊り下げられている。この弾性吊り下げ条１２には、細い導電金属針金をコイル状／スプライン状に巻いたスプリング／コイルバネが用いられ、弾性吊り下げ条１２は弾性的に変形可能な導電性のものである。
【００１５】
この弾性吊り下げ条１２の下端の下フック１２ｂには、剛性吊り下げ条１３の上端の上フック１３ａが掛けられて連結され、剛性吊り下げ条１３が振動／揺動可能に吊り下げられている。この剛性吊り下げ条１３は、導電金属製の細長い棒であり、弾性変形しない可撓性を有しない剛体である。
【００１６】
この剛性吊り下げ条１３の下端の下フック１３ｂには、球状の磁力体１４の上端の上フック１４ａが掛けられて連結され、磁力体１４が振動／揺動可能に吊り下げられている。この磁力体１４は、永久磁石である。
【００１７】
上記弾性吊り下げ条１２及び剛性吊り下げ条１３によって振り子１５が構成される、または弾性吊り下げ条１２、剛性吊り下げ条１３及び磁力体１４によって振り子１５が構成される。
【００１８】
（２）接触体２２の構造／作用
上記中天板３の下面の中心のフック１１の周囲には等間隔に３つ（複数）のリングフック２１…が固定されている。このリングフック２１…のリング内をスプリング／コイルバネ状の接触体２２の上縁が挿通されている。
【００１９】
この接触体２２は、太い導電金属針金をコイル状／スプライン状に巻いたスプリング／コイルバネが用いられ、弾性吊り下げ条１２は弾性的に変形可能な導電性のものであり、上記磁力体１４と吸着可能となっている。したがって、接触体２２は、テーパ環状であり、上から下に向かって当該環状の環の太さが次第に小さくなっている。
【００２０】
この接触体２２の螺旋のピッチ幅は、上記磁力体１４の大きさより小さい。これにより、磁力体１４が振動で飛び跳ねて接触体２２の螺旋の間から飛び出してしまうことがない。接触体２２の下縁の開口部２２ａの大きさは磁力体１４の大きさより大きく、この磁力体の大きさの２倍（数倍／複数倍）前後である。接触体２２の上縁の径は、この下縁の開口部２２ａの径の３倍（数倍／複数倍）前後である。
【００２１】
上記接触体２２の上縁の内径及び下縁の開口部２２ａの内径は、振り子１５全体の長さより短い。したがって、振り子１５の振動／揺動があれば、振り子１５は確実に接触体２２に接触できる。
【００２２】
上述のように接触体２２が環状になっているので、振動検出装置に対してどのような方向から地震／振動が来ても、剛性吊り下げ条１３または磁力体１４が確実に接触体２２に接触することができる。
【００２３】
また、接触体２２がテーパ状になっているので、地震／振動に対して、振り子１５の下端の剛性吊り下げ条１３または磁力体１４から先に接触体２２に接触することができ、弾性吊り下げ条１２または弾性吊り下げ条１２と剛性吊り下げ条１３との連結関節部から先に接触してしまうことがなくなる。
【００２４】
なお、接触体２２は、縦に伸びる一本又は二本の棒状等、環状でなくてもよい。また、接触体２２は、上から下まで同じ内径等、テーパ状でなくてもよい。
【００２５】
このような接触体２２は、多数の針金環が上下に配列され、各針金環が縦に伸びる複数の針金に連結固定されてもよいし、縦に伸びる複数の針金が環状に配列されても良いし、筒状、筒網状、筒板状などでもよい。この接触体２２の全体内径または下縁内径の大きさ（環の太さ）が変更されると、振り子１５と接触体２２との間隔が変更され、検出される振動／地震の大きさも変更される。
【００２６】
（３）振り子１５の作用
上記磁力体１４は、上記接触体２２の下縁の開口部２２ａから突出しており、同接触体２２の下縁から下外側に吸着可能である。この開口部２２ａの周縁に接触するのは、上記剛性吊り下げ条１３である。
【００２７】
磁力体１４と接触体２２とは、一方または両方が永久磁石そのものまたは永久磁石に接触しており、他方はこの永久磁石の磁力で吸着されるものであり、互いに吸着可能である。磁力体１４と接触体２２とは、鉄、ニッケル、コバルト、クロム、アルミニウム、これらの合金である、アルニコ、ステンレスなどの磁性を帯びることが可能な材質である。
【００２８】
また、磁力体１４と接触体２２と弾性吊り下げ条１２と剛性吊り下げ条１３とは、銅、鉄、アルミニウム、亜鉛、すず、ニッケル、これらの合金である、真鍮、ステンレスなど、熱収縮率の小さい材質からなっている。熱収縮率が小さければ、周囲の記憶／温度変化に対して検出精度が変化することが少なくなる。
【００２９】
剛性吊り下げ条１３が銅などの磁力／磁性を帯びない材質であれば、磁力体１４の磁力／磁性が剛性吊り下げ条１３及び弾性吊り下げ条１２に伝わって、剛性吊り下げ条１３及び弾性吊り下げ条１２が接触体２２に磁気吸引されて誤動作するのを防止できる。
【００３０】
磁力体１４が永久磁性を帯びるには、磁力体１４そのものを永久磁石にするか、磁力体１４の中に永久磁石を内蔵させる。接触体２２が永久磁性を帯びるには、接触体２２の上縁、接触体２２の周囲に永久磁石が接触される。
【００３１】
振り子１５の下端の磁力体１４と接触体２２とが互いに磁力で吸引されるので、地震／振動で振り子１５が揺れて磁力体１４が接触体２２の間近まで接近したとき、磁力体１４が接触体２２に引き寄せられ、剛性吊り下げ条１３は接触体２２に確実に接触でき、地震／振動を確実に検出できる。このような磁力吸引によって、振り子１５の振動／揺動が促進され、早く減衰してしまうことがなくなり、振り子１５が接触体２２に確実に接触できる。
【００３２】
また、振り子１５の下端の磁力体１４は接触体２２の下端の開口部２２ａから突出しているので、縦揺れに対しても、磁力体１４が接触体２２の間近まで接近したとき、磁力体１４が接触体２２に引き寄せられ、剛性吊り下げ条１３を接触体２２に確実に接触させることができ、地震／振動を確実に検出できる。
【００３３】
むろん、振り子１５の下端の磁力体１４は接触体２２の下端の開口部２２ａから突出せず、接触体２２の下縁の開口部２２ａより上に位置してもよい。この場合、接触体２２の内径を大きくすることになる。そして、振動／地震で剛性吊り下げ条１３ではなく磁力体１４が接触体２２の内側に接触することになる。
【００３４】
なお、磁力体１４は接触体２２と磁力で吸着しあうので、弱い振動／地震でも磁力体１４が接触体２２に接触してしまうことになる。振り子１５の下端の磁力体１４が接触体２２の下端の開口部２２ａから突出していれば、このような誤動作はなくなる。
【００３５】
上記弾性吊り下げ条１２は、スプリング／コイルバネであるため、長手方向に弾性的に伸縮可能である。したがって、縦揺れの振動／地震に対して弾性吊り下げ条１２は垂直方向に伸縮するとともに、弾性吊り下げ条１２全体は波状に振動変形し、水平方向にも揺れて振動し、剛性吊り下げ条１３を水平方向にも揺動／振動させる。
【００３６】
これにより、縦揺れに対して、弾性吊り下げ条１２を接触体２２に接触させることができる。また、このような縦揺れを振り子１５の振動／揺動に迅速に変換でき、縦揺れに対して即座に検出を行うことができる。このような縦揺れ検出は、振り子１５の条を弾性変形できるようにしたためであり、鎖のような弾性変形しないものでは達成できない。
【００３７】
むろん、上記弾性吊り下げ条１２は、長手方向に直交する方向に弾性的に揺動可能又は振動可能であり、横揺れ振動／地震に対して、水平方向に揺れて振動し、剛性吊り下げ条１３を水平方向にも揺動／振動させる。これにより、横揺れに対して、弾性吊り下げ条１２を接触体２２に接触させることができる。
【００３８】
地震というものは、横揺れ（横波）に対して縦揺れ（縦波）が先に来るので、地震の揺れはじめで地震／振動を確実に検出できる。むろん、横揺れも検出できるし、周期の長い揺れや、地震の最後の表面波も検出できる。
【００３９】
弾性吊り下げ条１２は、スプリング／コイルバネのほか、導電性ゴムのチューブ、導電性ゴムの紐、弾性を有する網筒状などでもよい。剛性吊り下げ条１３は、可撓性を有してもよいし、導電金属性のほか、導電樹脂製でもよいし、スプリング／コイルバネ状、棒状、板状、ワイヤー状、筒状または鎖状であってもよい。
【００４０】
この剛性吊り下げ条１３は省略され、弾性吊り下げ条１２が接触体２２の開口部２２ａから露出／突出して、下フック１２ｂに直接磁力体１４が連結されてもよい。この場合、弾性吊り下げ条１２の弾性を弱くして剛体に近い弾性撓みの少ないものにする。または、接触体の２２の内径を太くする。そうしないと、小さい揺れでも弾性吊り下げ条１２が接触体２２に接触してしまうことになる。
【００４１】
この弾性変形しない剛性吊り下げ条１３が弾性吊り下げ条１２の下に垂下されていると、弱い振動でも接触体２２に接触してしまことがなくなり、誤動作が少なくなる。例えば、震度４で接触するように設定したとき、震度３で誤って接触してしまうことがほとんどなくなる。
【００４２】
接触体２２の内側と振り子１５との間隔は、検出する震度に応じて変更される。例えば震度「４」の縦揺れを検出できるように当該間隔は設定される。そして、上述のように弾性吊り下げ条１２の下に剛性吊り下げ条１３が吊り下げられているので、震度３以下で誤って誤検出してしまうことがない上に、上述のように磁力体１４は接触体２２の下縁の開口部２２ａから突出しているので、やはり震度３以下で誤って誤検出してしまうことがない。
【００４３】
また、接触体２２の螺旋のピッチ／間隔は、剛性吊り下げ条１３の長さより小さい。これにより、激しい地震／振動で振り子１５が接触体２２の隙間から飛び出してしまうことがない。磁力体１４の太さ／径は剛性吊り下げ条１３の太さ／径より大きい。これにより、剛性吊り下げ条１３を磁力体１４が引っ張って接触体２２に接触させることができる。
【００４４】
また、上記磁力体１４は球状のほか、立方体、直方体、多面体であってもよい。上記天板１、弾性吊り下げ条１２、剛性吊り下げ条１３または／及び磁力体１４の相互の連結においては、フック、上フック、下フック１１、１２ａ、１２ｂ、１３ａ、１３ｂ、１４ａによって、互いに連結される物が互いに容易に折曲可能なように連結されている。
【００４５】
したがって、振り子１５はこれら連結されている各所で容易に折れ曲がり、縦揺れ等の振動／地震に対して非常に迅速に折れ曲がり、地震／振動の検出の即応性に優れている。このような連結箇所は振り子１５の元端を除いて２カ所以上であってもよいが、連結箇所が多すぎると逆に即応性が低下する。連結箇所は１カ所乃至２カ所が望ましいといえる。
【００４６】
リングフック２１…、接触体２２、フック１１、弾性吊り下げ条１２、剛性吊り下げ条１３または／及び磁力体１４の一部または全体は導電性であるが、磁力体１４は非導電性でもよい。また、接触体２２及び磁力体１４の一部または全体は磁性を帯びることが可能な材質からなっているが、フック１１、弾性吊り下げ条１２または剛性吊り下げ条１３も磁性を帯びることが可能な材質からなっていてもよい。
【００４７】
（４）検出回路３０／警報機３３
上記振り子１５に接続されたフック１１には接続線３１が接続され、上記接触体２２に接続されたリングフック２１の１つにも接続線３２が接続され、これら接続線３１及び３２は、上室６を通って、振動検出装置の外に引き出され、警報機３３に接続され、この警報機３３は中筒４の外側面に固定されている。
【００４８】
図３は検出回路３０を示す。この検出回路３０は上記警報機３３に内蔵されている。上記接続線３１及び３２にはワンショットタイマー回路３４が接続され、このワンショットタイマー回路３４のワンショットスイッチ３５が一瞬でも導通されると、所定時間、例えば３０秒間、継続して警報ランプ３６に電流を送り、警報ランプ３６を継続して点灯／点滅させ、警報ブザー３７にも継続して電流を送り、警報ブザー３７を継続して発音／放音させる。
【００４９】
上記ワンショットスイッチ３５は、上記振り子１５の剛性吊り下げ条１３と接触体２２とによって構成され、振り子１５の剛性吊り下げ条１３が接触体２２に接触すると、導通して、当該接触が検出される。したがって、地震／振動があると、上記所定時間、警報ランプ３６が点灯／点滅され、警報ブザー３７が発音／放音され、地震／振動があることが、光と音と報知される。
【００５０】
（５）他の実施の形態
本発明は、上記実施例に限定されず、種々変更可能である。例えば、接触体２２に接触するのは、剛性吊り下げ条１３のほか、磁力体１４、弾性吊り下げ条１２でもよいし、上フック、下フック１２ａ、１２ｂ、１３ａ、１３ｂ、１４ａなどの連結部であってもよい。
【００５１】
振り子１５と接触体２２との接触の検出は、物理的な接触の検出のほか、ホール素子、磁電変換素子などの磁気検出手段による電気的接触の検出であってもよい。この場合、接触体２２の下縁の開口部２２ａの内側にこのような磁気検出手段が配置される。
【００５２】
上記検出回路３０による検出の結果によって制御／実行される処理は、光または音による報知のほか、電気／ガス／水道などの供給（変電所・ガス管・給水所・ブレーカー・ガスメータ・水道メータなど）の遮断、石油／ガス／電気のストーブ／ガスコンロなどの暖房器具／台所厨房機器などの加熱器具の緊急消火、高速鉄道／電車／自動車／車両／航空機等の乗り物の運行／走行の停止、ノートパソコン／コンピュータ／ＯＡ機器／電信電話機器／交換機／通信機器の電源遮断／動作停止、工場の生産設備／／発電所（原子力・火力・水力）／ガスタンクなどの各種運転機器の緊急停止などの地震／その他の振動に対しての停止／終了／遮断／切断／オフなどが実行されてもよい。この場合、上記ワンショットタイマー回路はこのような停止／終了／遮断／切断／オフを永続して行う遮断回路／切断回路／スイッチ回路に置き換えられる。
【００５３】
また、上記検出回路３０による検出の結果によって制御／実行される処理は、非常灯の点灯、非常通信網の確保、携帯電話／無線機への緊急メッセージ／緊急メールの発信／配信、テレビ／ケーブルテレビ／ラジオの緊急通報の開始、駅・スポーツ施設・劇場・学校・病院・役所・ホテルなどの緊急の構内／校内の放送／連絡の開始、交換機／通信機器の確保、自家発電装置／太陽電池の投入／動作開始／電源切り換え、緊急貯水処理の開始、録画／録音の開始、ノートパソコン／コンピュータ／ＯＡ機器／通信機器のデータ／情報の自動バックアップ開始、車両／電車の信号の切り換え、高速道路の表示板への緊急表示などの各種運転機器の緊急作動開始などの地震／その他の振動に対しての開始／再開／投入／接続／オンなどが実行されてもよい。この場合、上記ワンショットタイマー回路はこのような開始／再開／投入／接続／オンを永続して行う投入回路／接続回路／スイッチ回路に置き換えられる。
【００５４】
警報機３３は、中筒４の外側だけでなく、中筒４の外側周囲、上室６の内側または周囲、下筒５の外側、下側または内側下部、本振動検出装置から離れた箇所に設けられてもよい。
【００５５】
（６）他の発明の効果
［１］弾性的に変形可能な導電性の振り子の弾性吊り下げ条と、  この弾性吊り下げ条の上または下に連結される弾性変形しない導電性の上記振り子の剛性吊り下げ条と、  これら互いに連結された弾性吊り下げ条及び剛性吊り下げ条の下端に設けられた磁性を帯びることが可能な上記振り子の磁力体と、  これら振り子の周囲に配置され、上記振り子に接触可能で、上記磁力体と吸着可能で導電性の接触体と、  これら振り子と接触体とに接続され当該振り子と接触体との接触とを検出する検出回路とを備えたことを特徴とする振動検出装置。
【００５６】
これにより、弾性吊り下げ条である振り子の一部を弾性的に変形可能としたから、縦揺れに対してこの弾性吊り下げ条が縦に弾性変形し、この弾性変形が振り子の水平振動／揺動に変換され、縦揺れを検出することができる。また、磁力体と接触体とが吸着可能であるから、振り子の振動／揺動が促進され、振り子が接触体に確実に接触できる。
【００５７】
［２］上記弾性吊り下げ条は、長手方向に弾性的に伸縮可能である、または／及び長手方向に直交する方向に弾性的に揺動可能又は振動可能であることを特徴とする請求項１記載の振動検出装置。これにより、縦揺れをより効率的に振り子の振動に変換できるし、縦揺れだけでなく横揺れも検出できる。
【００５８】
［３］上記剛性吊り下げ条は、可撓性を有しないまたは可撓性を有し、導電金属性または導電樹脂製である請求項１または２記載の振動検出装置。これにより、縦揺れから効率的に変換された振り子の振動で振り子自身が撓むのを防止できる。
【００５９】
［４］上記弾性吊り下げ条の下に上記剛性吊り下げ条が連結され、上記接触体には上記剛性吊り下げ条が接触することを特徴とする請求項１、２または３記載の振動検出装置。これにより、接触体に剛体が接触するので、接触を確実に行うことができる。
【００６０】
［５］上記弾性吊り下げ条、剛性吊り下げ条または磁力体の相互の連結において、互いに連結される物が互いに折曲可能なように連結されることを特徴とする請求項１、２、３または４記載の振動検出装置。これにより、振り子は連結されている各所で容易に折れ曲がり、縦揺れ等の振動／地震に対して非常に迅速に折れ曲がり、地震／振動の検出の即応性が向上する。
【００６１】
［６］上記接触体は、テーパ環状であり、振り子の上から下に向かって当該環状の環の太さが次第に小さくなっていることを特徴とする請求項１、２、３、４または５記載の振動検出装置。これにより、地震／振動に対して、振り子の下端の剛性吊り下げ条または磁力体から先に接触体に接触することができ、弾性吊り下げ条と剛性吊り下げ条と磁力体との連結関節部から先に接触してしまうことがなくなる。
【００６２】
［７］上記磁力体は、上記接触体の下縁から突出して、同接触体の下縁から下外側に吸着可能である請求項１、２、３、４、５または６記載の振動検出装置。これにより、縦揺れに対しても、磁力体が接触体の間近まで接近したとき、磁力体が接触体に引き寄せられ、剛性吊り下げ条が接触体に確実に接触でき、地震／振動を確実に検出できる。
【産業上の利用可能性】
【００６３】
以上詳述したように、本発明は、横揺れだけでなく縦揺れも確実に検出でき、地震／振動検出のときに接触間近の状態でも確実に接触させて検出エラーをなくす。
【００６４】
天板１の下に弾性吊り下げ条１２が垂下され、この弾性吊り下げ条１２の下に剛性吊り下げ条１３が連結され、この剛性吊り下げ条１３の下に磁力体１４が連結され、振り子１５が構成される。この振り子１５の周囲には、テーパ環状の接触体２２が配置され、地震／振動があると、剛性吊り下げ条１３が接触体２２に接触して、地震／振動が検出される。
【００６５】
弾性吊り下げ条１２が弾性変形するので、縦揺れが弾性吊り下げ条１２で振り子揺動に変換されて剛性吊り下げ条１３に伝達され、剛性吊り下げ条１３が接触体２２に確実に接触できる。磁力体１４が接触体２２の間近に近づくと、磁力体１４が接触体２２に磁性吸引され、剛性吊り下げ条１３が触体２２に確実に接触される。
【図面の簡単な説明】
【００６６】
【図１】この発明の一実施の形態に係る振動検出装置の外観斜視図を示す。
【図２】振動検出装置の縦断面図を示す。
【図３】検出回路３０を示す。
【符号の説明】
【００６７】
１…天板、２…上筒、３…中天板、
４…中筒、５…下カップ、
６…上室、７…下室、
１１…フック、１２…弾性吊り下げ条、
１２ａ…上フック、１２ｂ…下フック、
１３…剛性吊り下げ条、１３ａ…上フック、１３ｂ…下フック、
１４…磁力体、１４ａ…上フック、１５…振り子、
２１…リングフック、２２…接触体、２２ａ…開口部、
３０…検出回路、３１、３２…接続線、３３…警報機、
３４…ワンショットタイマー回路、３５…ワンショットスイッチ、
３６…警報ランプ、３７…警報ブザー。
【図１】
2006112925.tif 000003
【図２】
2006112925.tif 000004
【図３】
2006112925.tif 000005